(57)【特許請求の範囲】
【請求項１】
Ｈｉビームに対応する凹部（２ａ）と、Ｌｏビームに対応する凹部（２ｂ）と、該両凹部（２ａ，２ｂ）間の中間に頂点（３）を有しその両側に上記各凹部（２ａ，２ｂ）に連続する傾斜面（４ａ，４ｂ）を有する突起部（５）とからなるスイッチ本体（１）を備え、該スイッチ本体（１）の両凹部（２ａ，２ｂ）間の範囲（Ａ）を移動する移動体（６）の位置に応じて、ＨｉビームとＬｏビームとを切り替えるヘッドランプのディマースイッチにおいて、
一方のビーム点灯域は、その凹部（２ｂ）から傾斜面（４ｂ）に沿って頂点（３）を越えて他方のビーム側の傾斜面（４ａ）の途中までの範囲（Ｂ）であり、他方のビーム点灯域は、その凹部（２ａ）から前記一方のビーム点灯域の端部を越えた傾斜面（４ａ）の途中までの範囲（Ｃ）であり、前記両範囲（Ｂ，Ｃ）の重複した範囲（Ｄ）が同時点灯域であり、もって、前記移動体（６）が前記頂点（３）の位置では一方のビームのみが点灯し、上記Ｈｉ／Ｌｏ同時点灯域（Ｄ）は上記移動体（６）が上記突起部（５）の傾斜面（４ａ）上の位置にある領域に設けたことを特徴とするヘッドランプのディマースイッチ。
【請求項２】
Ｈｉビームフィラメントに接続されたＨｉ側端子と、Ｌｏビームフィラメントに接続されたＬｏ側端子と、電源に接続された共通端子と、該共通端子に常に接触し且つ上記Ｈｉ側端子およびＬｏ側端子の両方に同時に接触可能な接点板を前記移動体に連結し、該移動体が前記突起部の頂点の位置にあるときには、上記接点板は上記共通端子に接触するとともに上記Ｈｉ側端子およびＬｏ側端子のいずれか一方にのみ接触するように上記各端子と接点板との相対位置を設定したことを特徴とする請求項１に記載のディマースイッチ。
【発明の詳細な説明】
【０００１】
【産業上の利用分野】
本発明は車両ヘッドランプのＨｉビーム（走行ビームまたは上向きビーム）およびＬｏビーム（すれ違いビームまたは下向きビーム）を切り替えるためのディマースイッチに関するものである。
【０００２】
【従来の技術】
車両のヘッドランプは、Ｈｉビーム側フィラメントとＬｏビーム側フィラメントを有し、ディマースイッチによりＨｉ／Ｌｏビームの切り替えが行われる。この場合、Ｈｉ／Ｌｏの切り替え時に両方のビームが消えることは非常に危険であるため、両ビームの同時点灯域を設け、必ず同時点灯状態を一旦介してビームの切り替えを行っている。
【０００３】
従来のディマースイッチの要部構造は、図４に示すように、突起部５を有するスイッチ本体１とこの突起部５に沿ってスイッチ本体１上を転動する球６とからなり、球６はＨｉビーム側の凹部２ａとＬｏビーム側の凹部２ｂ間の範囲Ａを転動する。この球６は、例えば２輪車であればグリップのハンドルスイッチにより移動操作される。球６にはＨｉ／Ｌｏの各ランプフィラメントに接続するスイッチ端子を切り替えるための接点板（図示しない）が連結され、球６の位置に応じてビームのＨｉ／Ｌｏの切り替えを行っている。
【０００４】
従来のディマースイッチにおいては、突起部５の頂点３を含む位置からＬｏ側凹部２ｂの位置までの範囲ＢをＬｏビーム点灯域とし、これと対称に同じく突起部５の頂点３を含む位置からＨｉ側凹部２ａの位置までの範囲ＣをＨｉビーム点灯域として、これらの領域Ｂ、Ｃが重なる領域ＤをＨｉ／Ｌｏ同時点灯域としていた。従って、球６が突起部５の頂点を乗越える位置ではＨｉビームおよびＬｏビームがともに点灯されていた。
【０００５】
【発明が解決しようとする課題】
しかしながら、前記従来のディマースイッチにおいて、ハンドルスイッチを操作する際、球６が突起部５の頂点３で丁度釣合いがとれてバランスよく止った場合、ここがＨｉ／Ｌｏ同時点灯域Ｄであるため、球６が頂点３に止っている間、ＨｉビームおよびＬｏビームの両方が連続的に同時点灯される。元来、同時点灯域はビーム切り替えの瞬間に両ビームがともに消灯することを避けるためのものであって、このような長時間の連続同時点灯は無駄であり好ましくない。
【０００６】
本発明は上記従来技術を改良するためになされたものであって、ヘッドランプの連続同時点灯状態の発生を防止したディマースイッチの提供を目的とする。
【０００７】
【課題を解決するための手段】
前記目的を達成するため、本発明では、Ｈｉビームに対応する凹部（２ａ）と、Ｌｏビームに対応する凹部（２ｂ）と、該両凹部（２ａ，２ｂ）間の中間に頂点（３）を有しその両側に上記各凹部（２ａ，２ｂ）に連続する傾斜面（４ａ，４ｂ）を有する突起部（５）とからなるスイッチ本体（１）を備え、該スイッチ本体（１）の両凹部（２ａ，２ｂ）間の範囲（Ａ）を移動する移動体（６）の位置に応じて、ＨｉビームとＬｏビームとを切り替えるヘッドランプのディマースイッチにおいて、一方のビーム点灯域は、その凹部（２ｂ）から傾斜面（４ｂ）に沿って頂点（３）を越えて他方のビーム側の傾斜面（４ａ）の途中までの範囲（Ｂ）であり、他方のビーム点灯域は、その凹部（２ａ）から前記一方のビーム点灯域の端部を越えた傾斜面（４ａ）の途中までの範囲（Ｃ）であり、前記両範囲（Ｂ，Ｃ）の重複した範囲（Ｄ）が同時点灯域であり、もって、前記移動体（６）が前記頂点（３）の位置では一方のビームのみが点灯し、上記Ｈｉ／Ｌｏ同時点灯域（Ｄ）は上記移動体（６）が上記突起部（５）の傾斜面（４ａ）上の位置にある領域に設けたことを特徴とするヘッドランプのディマースイッチを提供する。
【０００８】
好ましい実施例においては、Ｈｉビームフィラメントに接続されたＨｉ側端子と、Ｌｏビームフィラメントに接続されたＬｏ側端子と、電源（例えばバッテリー）に接続された共通端子と、該共通端子に常に接触し且つ上記Ｈｉ側端子およびＬｏ側端子の両方に同時に接触可能な接点板を前記移動体に連結し、該移動体が前記突起部の頂点の位置にあるときには、上記接点板は上記共通端子に接触するとともに上記Ｈｉ側端子およびＬｏ側端子のいずれか一方にのみ接触するように上記各端子と接点板との相対位置を設定したことを特徴としている。
【０００９】
【作用】
移動体（例えば球）はスイッチ本体の突起部中央の頂点およびその両側の傾斜面に沿って移動する。傾斜面上では移動体が停止することはあり得ず、必ずその端部の凹部まで斜面に沿って滑り落ちる。この移動体が傾斜面上にある位置をＨｉ／Ｌｏ同時点灯域とする。従って、傾斜面上では移動体が停止することはあり得ないため、Ｈｉ／Ｌｏ両ビームが連続して同時点灯する状態が続くことは起こらない。
【００１０】
【実施例】
図１は本発明の実施例に係るディマースイッチの要部構成図である。スイッチ本体１は、Ｈｉビーム側の凹部２ａと、Ｌｏビーム側の凹部２ｂと、これら両凹部の中央に形成した突起部５を有する。突起部５は頂点３とその両側の上記各凹部２ａ，２ｂに連続する傾斜面４ａ．４ｂとを有する。移動体である球６は、このスイッチ本体１の突起部５を越えて、その傾斜面４ａ，４ｂに沿って、Ｈｉビーム位置の凹部２ａから反対側のＬｏビーム位置の凹部２ｂまでの範囲Ａを転動する。この実施例では、Ｌｏ側の凹部２ｂから傾斜面４ｂに沿って頂点３を越えてＨｉ側の傾斜面４ａの途中までの範囲ＢがＬｏビーム点灯域であり、Ｈｉビーム側の凹部２ａからＬｏビーム点灯域Ｂの端部を越えた傾斜面４ａの途中までの範囲ＣがＨｉビーム点灯域として設定され、範囲Ｂ、Ｃの重複した領域ＤがＨｉ／Ｌｏ両方のビームの同時点灯域となる。この同時点灯域Ｄは傾斜面４ａの途中にあるため、この領域で球６が止ることはなく、従って連続した同時点灯状態は起こらない。また、頂点３は同時点灯域Ｄから外れるため、万一球６が頂点３で止ったとしても、この位置では一方のビーム（この例ではＬｏビーム）のみが点灯し両方のビームが同時に点灯することはない。
【００１１】
図２は本発明に係るディマースイッチ全体の概略構成図であり、（Ｂ）は平面構成図、（Ａ）（Ｃ）はそれぞれ（Ｂ）図のＡ−Ａ方向およびＣ−Ｃ方向からみた側面図である。このディマースイッチは例えば２輪車の左ハンドルグリップの根元部の左手親指で操作可能な位置に、他のスイッチ例えばホーンスイッチやフラッシャースイッチとともに設けられる。７はスイッチを駆動するための操作子であり、支点１２を中心にスナップ式にシーソー回転動作を行う。球６はこの操作子７に連動するように保持されるとともに、スプリング８により常にスイッチ本体１に対し弾発的に押圧される。９はスプリング保持具である。操作子７を押圧するとこれに応じて球６が突起部５に沿ってスプリング８により押圧されながら転動しＨｉ側凹部２ａまたはＬｏ側凹部２ｂのいずれかに収る。これにより操作子７のスナップ式のシーソー動作が得られる。
【００１２】
操作子７にはさらにこれに連動する可動接点板１０が連結される。この可動接点板１０に係合する位置に３つの端子１１ａ，１１ｂ，１１ｃが固定して配設される。１１ａはＬｏ接点端子、１１ｂは共通端子、１１ｃはＨｉ接点端子である。図は球６が突起部５の頂点にある状態を示している。この状態では接点板１０はＬｏ接点端子１１ａおよび共通端子１１ｂに接触し、Ｈｉ接点端子１１ｃからは分離している。従って、球６が突起部の頂点の位置ではＬｏビームのみが点灯する。Ｌｏビーム側へのスイッチ操作時（操作子７のＬｏ側が押圧される）であれば、球６は図の上側に移動しＬｏ側凹部２ｂ内に収る。このとき接点板１０はＬｏ接点端子１１ａと共通端子１１ｂとを導通させた状態を保持しながらＨｉ接点端子１１ｃからさらに離れる方向（図の上側）に移動する。
【００１３】
一方、Ｈｉビーム側へのスイッチ操作時であれば、操作子７のＨｉ側が押圧されこれに連動して球６はＬｏ側の凹部２ｂ側からＨｉ側の凹部２ａ側に向かって移動する。このとき接点板１０も同様に図の上から下に向かって移動する。球６が突起部の頂点では前述のようにＬｏビームのみが点灯する。これを越えて球６がＨｉビーム側の傾斜面を移動する途中の同時点灯領域Ｄにおいて、接点板１０が３つの端子１１ａ，１１ｂ，１１ｃの全てに同時に接触してＨｉビームおよびＬｏビームの両方が同時に点灯する。さらに球６が傾斜面を移動して同時点灯域Ｄを越えると、接点板１０もこれに連動して移動し、Ｌｏ接点端子１１ａから外れて、共通端子１１ｂとＨｉ接点端子１１ｃとを導通させる。これにより、Ｌｏビームが消灯し、Ｈｉビームが点灯する。
【００１４】
図３は上記実施例の回路図である。ディマースイッチ２０に対しランプスイッチ１３を介して電源としてのバッテリー１４が接続される。なお、電源としてバッテリー１４に代えて、エンジンにより駆動される発電機等他の電源を用いてもよい。ヘッドランプ１５はＨｉビームフィラメント１６とＬｏビームフィラメント１７とを有し、各フィラメント１６、１７はそれぞれＨｉ接点端子１１ｃおよびＬｏ接点端子１１ａに接続される。図３は図２の状態に対応して球６が突起部の頂点にある状態を示している。従って、接点板１０は共通端子１１ｂとＬｏ接点端子１１ａとを導通させている。スイッチ操作子７（図２）のスナップシーソー動作に連動して接点板１０が移動し、端子１１ａ，１１ｃへの接続状態が切り替わる。接点板１０が両方の端子１１ａ，１１ｃに接触した状態が同時点灯の状態である。
【００１５】
なお、前述のような点灯領域の設定は、接点板１０と端子１１ａ，１１ｂおよび１１ｃとの相対位置関係を調整することにより各種態様が実施可能である。したがって、接点板１０の大きさや形状および／または端子１１ａ，１１ｂ，１１ｃの固定位置を調整することにより、所望の位置で同時点灯域を設定することができる。
【００１６】
【発明の効果】
以上説明したように、本発明においては、２位置間のスナップ式シーソー運動を行わせるための突起部を有するスイッチ本体およびその突起部に沿って移動する移動体（球）を具備したディマースイッチにおいて、この移動体が突起部の傾斜面にある位置の範囲で同時点灯領域を定めたため、この同時点灯領域内で移動体が止ることはなく連続してＨｉ／Ｌｏの両ビームが同時点灯することが防止される。これにより無駄な連続同時点灯がなくなり、ランプの加熱が防止されるとともに、ランプ枠体等の構成部材として耐熱性の低い材料を用いることが可能になり材料の選択範囲が増加しコストの低減が図られる。また、フィラメントやバッテリーの無駄な消費が回避され使用寿命を延すことができる。
【図面の簡単な説明】
【図１】  本発明の実施例に係るディマースイッチの要部構成および切り替え点灯域の説明図である。
【図２】  本発明の実施例に係るディマースイッチの全体構成の説明図である。
【図３】  本発明の実施例に係るディマースイッチの回路図である。
【図４】  従来のディマースイッチの切り替え点灯域の説明図である。
【符号の説明】
１：スイッチ本体
２ａ，２ｂ：凹部
３：頂点
４ａ，４ｂ：傾斜面
５：突起部
６：球
７：スイッチ操作子
８：スプリング
９：スプリング保持具
１０：接点板
１１ａ，１１ｂ，１１ｃ：端子
【図１】
0003721523.tif 000002
【図２】
0003721523.tif 000003
【図３】
0003721523.tif 000004
【図４】
0003721523.tif 000005